(57)【要約】【課題】小型化を図ることができると共に、運搬時の振動にもピースが型崩れし難い扇状加工食品用容器を提供する。【解決手段】扇状加工食品用容器１０は、円形状加工食品が中心から扇状に等分されたうちの偶数個の扇状加工食品のピースを、その向きを互い違いにして収納するための容器本体２０を有している。容器本体２０は、四角形状に形成され、上面が開口した箱状に形成されている。容器本体２０は、蓋部により上面が覆われる。この容器本体２０の周壁部は、平行な一対の第１側壁２１ａ，２１ｂと、第１側壁２１ａ，２１ｂより短く、第１側壁２１ａ，２１ｂに対して傾斜した互いに向き合う平行な一対の第２側壁２１ｃ，２１ｄとにより、平行四辺形に形成されている。【選択図】図１
2020172269.tif 000002
【特許請求の範囲】
【請求項１】
円形状加工食品が中心から扇状に等分されたうちの偶数個の扇状加工食品のピースを、その向きを互い違いにして収納するための容器本体であり、四角形状に形成され、上面が開口した箱状の前記容器本体と、前記容器本体の上面を覆う蓋部とを備え、
前記容器本体の周壁部は、平行な一対の第１側壁と、前記第１側壁に対して傾斜した互いに向き合う平行な一対の第２側壁とにより、平行四辺形に形成された扇状加工食品用容器。
【請求項２】
前記容器本体は、２個の前記ピースを収納するものであり、
前記容器本体には、鈍角となる一方の角部から、前記一方の角部と対角となる他方の角部へ向かって延びて、対角線同士が交差する中心点を通る仕切り板が形成された請求項１記載の扇状加工食品用容器。
【請求項３】
前記仕切り板は、前記第１側壁との成す角度が前記ピースの先端部の角度より大きく、前記第１側壁の一方の第１側壁から他方の第１側壁へ向かうように形成された請求項２記載の扇状加工食品用容器。
【請求項４】
前記仕切り板と前記第１側壁との間に隙間が形成された請求項３記載の扇状加工食品用容器。
【請求項５】
前記ピースを２個収納する前記容器本体は、前記第１側壁の長さは１９．５ｃｍ、前記第２側壁の長さは１０ｃｍであり、前記第１側壁に対して前記第２側壁を１０°傾斜させて形成された請求項１から４のいずれかの項に記載の扇状加工食品用容器。
【発明の詳細な説明】
【技術分野】
【０００１】
本発明は、ピザ等の円形状の加工食品を中心から扇状に等分したピースを収納するための扇状加工食品用容器に関するものである。
【背景技術】
【０００２】
ピザ等の円形状加工食品は、中心から放射状に等分されたピースの状態で食される。ピザを等分するときには、外周部に刃部が形成された円盤部が取手に回転自在に取り付けられたピザカッターを、ピザの直径方向に進行させて切り分けられる。
例えば、宅配されるピザは、Ｓサイズであれば６等分、Ｍサイズであれば８等分、Ｌサイズであれば１２等分に分割されるのが一般的である。
【０００３】
ＳサイズやＭサイズのピザであれば、一人でも、少人数でも食べきる場合が多いが、Ｌサイズともなると直径が３０ｃｍ〜３６ｃｍあり、家族で、または一人で食したときに数ピースが余ってしまうことがある。
その場合には、食事で余ったそれぞれのピースをフィルム状のラップで包み、冷蔵庫に保管して翌日に食したり、鞄に入れて職場へ持って行き、昼食としたりしている。しかし、それぞれのピースをラップで包むとラップの消費が膨大になることから、保管用または運搬用の容器があれば、洗浄して再使用ができるため、環境保全に寄与することができ、運搬する際にも型崩れが小さいため、利便性が高い。
【０００４】
このように分割されたピザを収納する容器について特許文献１に記載されたものが知られている。また、ピースの形状が長方形状であるが、特許文献２に記載されたものが知られている。
【０００５】
特許文献１に記載のライスピザ用収納容器は、円盤状のライスピザが分割された分断片を２個並列して収納するために、平面形状が略扇形に形成されている。
また、特許文献２に記載の容器入りピザは、予め数個の小片に小分けされたピザが、耐熱性を有する合成樹脂フィルムからなる蓋板で閉止した耐熱性を有する容器であり、平面形状が長方形状に形成された容器に収納されている。
【先行技術文献】
【特許文献】
【０００６】
【特許文献１】特開２０００−１６８７５９号公報
【特許文献２】実開平７−３６６９５号公報
【発明の概要】
【発明が解決しようとする課題】
【０００７】
しかし、この特許文献１に記載のライスピザ用収納容器では、扇型に分割されたピースを、円弧部分の反対側の鋭角部分を揃えて収納するため、容器における円弧部分の両端部の距離が大きくなってしまうため、Ｌサイズともなると、容器を縦にした状態で鞄に収納する際に容器の高さが高くなるため、大型の鞄が必要となる。また、容器の底板を鞄の底に向けた状態で収納する場合では、鞄の底の幅がＬサイズの半径分ほど必要になるため、やはり大型の鞄が必要となる。
【０００８】
また、特許文献２に記載の容器入りピザには、ピザが長方形状に形成されているため長方形状の容器に隙間なく収納させることができる。しかし、扇形に分割されたピザを収納するときには、ピースの向きを互い違いにした場合でも、ピースの円弧部分と容器の側壁との間に大きな隙間ができ、容器が揺れると容器内でピースが移動して型崩れが発生するおそれがある。
【０００９】
そこで本発明は、小型化を図ることができると共に、運搬時の振動にもピースが型崩れし難い扇状加工食品用容器を提供することを目的とする。
【課題を解決するための手段】
【００１０】
本発明の扇状加工食品用容器は、円形状加工食品が中心から扇状に等分されたうちの偶数個の扇状加工食品のピースを、その向きを互い違いにして収納するための容器本体であり、四角形状に形成され、上面が開口した箱状の前記容器本体と、前記容器本体の上面を覆う蓋部とを備え、前記容器本体の周壁部は、平行な一対の第１側壁と、前記第１側壁に対して傾斜した互いに向き合う平行な一対の第２側壁とにより、平行四辺形に形成されたことを特徴とする。
【００１１】
本発明の扇状加工食品用容器によれば、第１側壁に対して第２側壁が傾斜しているため、向きを互い違いにした２個のピースを、ピースの半径部分を第１側壁に合わせて収納すると、ピースの円弧部分と第２側壁との接点の位置を、ピースの円弧部分の中央側へ寄せることができる。従って、ピースの円弧部分と第２側壁との隙間を狭くすることができる。
【００１２】
前記容器本体は、２個の前記ピースを収納するものであり、前記容器本体に、鈍角となる一方の角部から、前記一方の角部と対角となる他方の角部へ向かって延びて、対角線同士が交差する中心点を通る仕切り板を形成することができる。
仕切り板が中心点を通過するため、容器本体内部の空間を線対称に２分割することができる。形状が合同な２個のピースのうち１個を収納した場合でも、仕切り板が容器本体内でのピースの移動を規制するので、１個のピースでも型崩れを防止することができる。
【００１３】
前記仕切り板を、前記第１側壁との成す角度が前記ピースの先端部の角度より大きく、前記第１側壁の一方の第１側壁から他方の第１側壁へ向かうように形成することができる。
ピースの先端部と円弧部分とがずれた状態で収納されることを使用者に視認させることができ、使用者に案内することができる。
【００１４】
前記仕切り板と前記第１側壁との間に隙間が形成されていることが望ましい。ピースが、等分したときのサイズからばらつき、少し大きい場合でも、ピースの先端部が隙間から隣接するピースの領域に入る込むことで収納することができる。
【００１５】
前記ピースを２個収納する前記容器本体を、前記第１側壁の長さは１９．５ｃｍ、前記第２側壁の長さは１０ｃｍであり、前記第１側壁に対して前記第２側壁を１０°傾斜させて形成することができる。そうすることで、容器本体に直径が３６ｃｍのピザを１２等分したピースを２個、収納することができる。
【発明の効果】
【００１６】
本発明の扇状加工食品用容器によれば、ピースの半径部分を第１側壁に合わせて収納すると、ピースの円弧部分と第２側壁との隙間を狭くすることができるので、小型化を図ることができると共に、運搬時の振動にもピースを型崩れし難くすることができる。
【図面の簡単な説明】
【００１７】
【図１】本発明の実施の形態に係る扇状加工食品用容器を示す斜視図である。
【図２】図１に示す扇状加工食品用容器の容器本体にピザのピースを２個収納した状態の平面図である。
【発明を実施するための形態】
【００１８】
本発明の実施の形態に係る扇状加工食品用容器を図面に基づいて説明する。
図１および図２に示す扇状加工食品用容器１０は、円形状加工食品が中心から扇状に等分されたうちの２個のピースＰ１，Ｐ２を、その向きを互い違いにして収納するための樹脂製の容器である。以下、扇状加工食品用容器１０を単に容器１０と略する。容器１０は、密閉性を有し、電子レンジによる加熱にも耐えることができるものが望ましい。
【００１９】
容器１０は、四角形状に形成され、上面が開口した箱状の容器本体２０と、容器本体２０の上面を覆う蓋部３０とを備えている。
容器本体２０は、４つの側壁（第１側壁２１ａ，２１ｂ、第２側壁２１ｃ，２１ｄ）からなる周壁部２１と、周壁部２１が周縁部から立設する底板２２とを備えている。容器本体２０の周壁部２１は、平面視して平行四辺形に形成されている。
【００２０】
周壁部２１は、平行な一対の長辺側壁である第１側壁２１ａ，２１ｂと、第１側壁２１ａ，２１ｂより短く、第１側壁２１ａ，２１ｂに対して傾斜した互いに向き合う平行な一対の短辺側壁である第２側壁２１ｃ，２１ｄとより形成されている。
本実施の形態では、第１側壁２１ａ，２１ｂは、長さ（ＡＢ間、ＣＤ間）が１９．５ｃｍ、高さが２．５ｃｍに形成されている。
第２側壁２１ｃ，２１ｄ（ＡＣ間、ＢＤ間）は、第１側壁２１ａ，２１ｂより短く、長さが１０ｃｍ、高さが２．５ｃｍに形成されている。第１側壁２１ａ，２１ｂに対する第２側壁２１ｃ，２１ｄの傾斜角度θ１（ＡＣ線とＧＣ線との成す角度θ１）は、１０度である。従って、第１側壁２１ａ，２１ｂの間隔（ＣＧ間）は９８．４３ｍｍとなる。
【００２１】
容器本体２０の底板２２には、２個のピースＰ１，Ｐ２の間に位置し、容器本体２０の内部空間を分割する仕切り板２３が立設されている。仕切り板２３は、鈍角となる一方の角部２４ａから、一方の角部と対角となる他方の角部２４ｂへ向かって延びて、対角線Ｌ１，Ｌ２同士が交差する中心点Ｏを通るように形成されている。つまり、仕切り板２３は、第１側壁２１ａ上の点Ｅと相対する第１側壁２１ｂ上の点Ｆとを結ぶように延びている。
仕切り板２３は、第１側壁２１ａ（点Ｅ）との成す角度θ２、第１側壁２１ｂ（点Ｆ）との成す角度θ２がピースＰ１，Ｐ２の先端部ｔの角度より大きく、第１側壁２１ａ，２１ｂの一方の側壁２１ａから他方の側壁２１ｂへ向かうように形成されている。
本実施の形態では、仕切り板２３と第１側壁２１ａ，２１ｂとの間に隙間ｓが設けられている。隙間ｓ（仕切り板２３から点Ｅまでの距離、仕切り板２３から点Ｆまでの距離）は、１．５ｃｍである。仕切り板２３を延長した第１側壁２１ａ，２１ｂの位置（点Ｅ，点Ｆ）は、第１側壁２１ａ，２１ｂの端部（点Ａ，点Ｄ）から１．５ｃｍの距離である。従って、仕切り板２３と第１側壁２１ａ，２１ｂとの成す角度θ２は、ピザを１２等分した３０度より大きい約３４度となる。
【００２２】
蓋部３０は、容器本体２０の開口を覆う天面部３１と、天面部３１の周縁部に形成され、周壁部２１の上端部２１ｕに密着嵌合する溝が下端部３２ｄに形成された嵌合部３２とを備えている。
【００２３】
このように構成された容器１０は、図２に示すように、第１側壁２１ａ，２１ｂに対して第２側壁２１ｃ，２１ｄが傾斜している。そのため、向きを互い違いにした２個のピースＰ１，Ｐ２を、ピースＰ１，Ｐ２の半径部分を第１側壁２１ａ，２１ｂに合わせて収納すると、ピースＰ１，Ｐ２の円弧部分ａと第２側壁２１ｃ，２１ｄとの接点の位置を、ピースＰ１，Ｐ２の円弧部分ａの中央側へ寄せることができる。従って、ピースＰ１，Ｐ２の円弧部分ａと第２側壁２１ｃ，２１ｄとの隙間を狭くすることができる。
【００２４】
このように容器１０を構成することで、ピースＰ１，Ｐ２の円弧部分ａと第２側壁２１ｃ，２１ｄとの隙間を狭くすることができるので、小型化を図ることができる。また、ピースＰ１，Ｐ２は、容器本体２０に密着した状態で収納され、容器本体２０内での移動が規制されるので、鞄に入れて運搬する時に、縦方向および横方向の振動にもピースＰ１，Ｐ２を型崩れ難くすることができる。
本実施の形態では、Ｌサイズのピザを１２等分したピースＰ１，Ｐ２を収納するために容器本体２０の各サイズや角度が決定されているが、ＳサイズまたはＭサイズ、各サイズでも直径の長さ、等分数によって、容器本体２０の各サイズや角度を決定することにより、各ピースの形状にフィットした容器本体２０とすることができる。そのため、容器本体２０の小型化と、ピースの型崩れ防止とを図ることができる。
【００２５】
また、仕切り板２３が中心点Ｏを通過するため、容器本体２０内部の空間を線対称に２分割することができる。従って、形状が合同な２個のピースＰ１，Ｐ２のうち１個を収納した場合でも、仕切り板２３が容器本体２０内でのピースの移動を規制するので、１個のピースでも型崩れを防止することができる。
【００２６】
仕切り板２３は、第１側壁２１ａ，２１ｂとの成す角度がピースＰ１，Ｐ２の先端部ｔの角度より大きく、第１側壁２１ａ，２１ｂの一方の第１側壁２１ａ（点Ｅ）から他方の第１側壁２１ｂ（点Ｆ）へ向かうように形成されている。従って、ピースＰ１，Ｐ２の先端部ｔと円弧部分ａとをずらした状態（先端部ｔに対して円弧部分ａが半径方向内側へシフトした状態）で収納することを使用者に視認させることができ、使用者に案内することができる。
この状態でピースＰ１，Ｐ２が容器本体２０に収納されると、第１側壁２１ａ，２１ｂの間を接近させることができるので、容器１０を立てて鞄に収納したときに高さを抑えることができる。
【００２７】
仕切り板２３と第１側壁２１ａ，２１ｂとの間に隙間ｓが形成されているため、ピースＰ１，Ｐ２が、等分したときのサイズからばらつき、少し大きい場合でも、ピースＰ１，Ｐ２の先端部ｔが隙間ｓから隣接するピースの領域に入る込むことで収納することができる。
【００２８】
このような容器１０に、直径３６ｃｍのＬサイズのピザを等分した１２個のピースを２個ずつ収納すると、容器本体２０にピースがぴったりとした状態で収納できる。
従って、ピースを２個ずつ収納した容器１０を段積みしたり、第１側壁２１ａまたは第１側壁２１ｂを下に向けて立て置きした状態としたりして冷蔵庫に保管したり、容器１０を鞄に収納して出先で昼食にしたりすることができ、電子レンジにより、そのまま加熱してピースＰ１，Ｐ２を取り出し食すことができる。
【００２９】
本実施の形態に係る容器１０は、ピースＰ１，Ｐ２の２個を収納するものであったが、傾斜の角度θ１を維持した状態で、第２側壁２１ｃ，２１ｄの長さを延ばすことにより、４個以上の偶数個のピースをその向きを互い違いにして収納する扇状加工食品用容器とすることができる。
【００３０】
なお、本実施の形態に係る容器１０は、ピザのピースを収納することを例に説明したが、本発明は、ホールを等分したケーキや、お好み焼き、ホットケーキ、チーズケーキ、キッシュなどの菓子類、円形状のパン、円形状のチーズなど、円形状の食品を中心から扇状に等分した食品を収納する容器であれば、適用することが可能である。
【産業上の利用可能性】
【００３１】
本発明の扇状加工食品用容器は、円形状加工食品を中心から等分して形成された扇状加工食品の保管用容器や運搬用容器、弁当箱に好適であり、特にピザの収納に最適である。
【符号の説明】
【００３２】
１０  扇状加工食品用容器（容器）
２０  容器本体
２１  周壁部
２１ａ，２１ｂ  第１側壁
２１ｃ，２１ｄ  第２側壁
２１ｕ  上端部
２２  底板
２３  仕切り板
２４ａ，２４ｂ  角部
３０  蓋部
３１  天面部
３２  嵌合部
３２ｄ  下端部
θ１，θ２  角度
Ｐ１，Ｐ２  ピース
ａ  円弧部分
ｔ  先端部
ｓ  隙間
Ｌ１，Ｌ２  対角線
【図１】
2020172269.tif 000003
【図２】
2020172269.tif 000004
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
円形状加工食品の中心を通って分割され、２辺の半径部分と前記半径部分の間を繋ぐ円弧からなる扇状のピース複数個を、その向きを互い違いに収納するための容器本体を有する扇状加工食品用容器であって、
前記容器本体は、上面が開口した箱状であり、
前記容器本体の周壁部は、平行な一対の第１側壁と、前記第１側壁に対して傾斜した互いに向き合う平行な一対の第２側壁とからなる平行四辺形に形成された扇状加工食品用容器。
【請求項２】
前記容器本体は、２個の前記ピースを収納するものであり、
前記容器本体には、鈍角となる一方の角部から、前記一方の角部と対角となる他方の角部へ向かって延びて、対角線同士が交差する中心点を通る仕切り板が形成された請求項１記載の扇状加工食品用容器。
【請求項３】
前記仕切り板は、前記第１側壁との成す角度が前記ピースの先端部の角度より大きく、前記第１側壁の一方の第１側壁から他方の第１側壁へ向かうように形成された請求項２記載の扇状加工食品用容器。
【請求項４】
前記仕切り板と前記第１側壁との間に隙間が形成された請求項３記載の扇状加工食品用容器。